(57)【要約】【課題】遊技機に付設する押しボタンスイッチとして必要な耐久性，経済性等の条件を備えた押しボタンスイッチユニットを提供する。【解決手段】表装板２０に形成された筒状部２１内に進退動部材２２を支承し、該進退動部材の上端部に押しボタン２３を冠着し、該表装板の裏側に投光器と受光器とからなる光センサ３１およびコネクタ３３が実装されたプリント基板３０を固着し、前記筒状部の下端部に軸承部２４およびバネホルダ２５を形成し、該バネホルダ内に設けたバネ２６の弾性により該進退動部材を上向きに付勢して前記押しボタンを表装板上に弾性的に突出させるとともに、進退動によって前記光センサの光軸を過ぎる遮光板２９を該進退動部材に設け、該進退動部材の下端部には前記軸承部中に摺動自在に垂下する軸部を形成し、さらに、該進退動部材の進退動幅を制限する手段を設けてなる。【選択図】　図４
2004081603.tif 000002
【特許請求の範囲】
【請求項１】
表装板に形成された筒状部内に進退動部材を支承し、該進退動部材の上端部に押しボタンを冠着し、該表装板の裏側に投光器と受光器とからなる光センサおよびコネクタが実装されたプリント基板を固着し、前記筒状部の下端部に軸承部およびバネホルダを形成し、該バネホルダ内に設けたバネの弾性により該進退動部材を上向きに付勢して前記押しボタンを表装板上に弾性的に突出させるとともに、進退動によって前記光センサの光軸を過ぎる遮光板を該進退動部材に設け、該進退動部材の下端部には前記軸承部中に摺動自在に垂下する軸部を形成し、さらに、該進退動部材の進退動幅を制限する手段を設けてなることを特徴とした遊技機用の押しボタンスイッチユニット。
【請求項２】
裏面に筒状部および該筒状部の下端部に軸承部およびバネホルダを一体に形成してなる表装板と、前記軸承部中に軸部が摺動自在に垂下し遮光板が一体に形成され前記筒状部内に進退動自在に支承された進退動部材と、前記表装板上に出没自在なるように該進退動部材の上端部に冠着された押しボタンと、前記表装板の裏側に固着され投光器と受光器とからなる光センサおよびコネクタが実装されたプリント基板と、前記バネホルダに収容され進退動部材を上向きに付勢することで前記押しボタンを表装板上に弾性的に突出させるバネと、進退動部材の進退動幅を制限する手段とからなる遊技機用の押しボタンスイッチユニット。
【請求項３】
進退動部材の進退動幅を制限する手段は、進退動部材の外周縁下部が筒状部の内底部に当接することと、進退動部材の軸部の下端に軸承部の下端開口から突出する爪状のストッパを形成したことである請求項１または２に記載の遊技機用の押しボタンスイッチユニット。
【請求項４】
押しボタンを透光性材料により成形するとともに、プリント基板に該押しボタンの裏面と相対する発光ダイオードを実装してなる請求項１〜３のいずれかに記載の遊技機用の押しボタンスイッチユニット。
【発明の詳細な説明】
【０００１】
【発明の属する技術分野】
本発明はパチンコ遊技機等の遊技機に設けられる押しボタンスイッチユニットに関するものである。
【０００２】
【従来の技術】
パチンコの遊技方法は旧来の打球を弾くだけのものから、何らかのチャンスタイムに押しボタンを操作することで遊技に多様性を持たせるような構造を持つものに次第に変化してきている。
ところでその場合に必要となる押しボタンスイッチは、強打されても破損し難いなど耐久性があること、構造が簡単で製作コストが掛からないこと等の要件が満たされなければならない。
【０００３】
【発明が解決しようとする課題】
そこで本発明は、遊技機に付設される押しボタンスイッチとして必要な上記耐久性，経済性等の要件を備えた押しボタンスイッチユニットを提供しようとするものである。
【０００４】
【課題を解決するための手段】
そのために本発明に係る押しボタンスイッチユニットは、表装板に形成された筒状部内に進退動部材を支承し、該進退動部材の上端部に押しボタンを冠着し、該表装板の裏側に投光器と受光器とからなる光センサおよびコネクタが実装されたプリント基板を固着し、前記筒状部の下端部に軸承部およびバネホルダを形成し、該バネホルダ内に設けたバネの弾性により該進退動部材を上向きに付勢して前記押しボタンを表装板上に弾性的に突出させるとともに、進退動によって前記光センサの光軸を過ぎる遮光板を該進退動部材に設け、該進退動部材の下端部には前記軸承部中に摺動自在に垂下する軸部を形成し、さらに、該進退動部材の進退動幅を制限する手段を設けてなることを特徴とする。
また本発明に係る押しボタンスイッチユニットは、裏面に筒状部および該筒状部の下端部に軸承部およびバネホルダを一体に形成してなる表装板と、前記軸承部中に軸部が摺動自在に垂下し遮光板が一体に形成され前記筒状部内に進退動自在に支承された進退動部材と、前記表装板上に出没自在なるように該進退動部材の上端部に冠着された押しボタンと、前記表装板の裏側に固着され投光器と受光器とからなる光センサおよびコネクタが実装されたプリント基板と、前記バネホルダに収容され進退動部材を上向きに付勢することで前記押しボタンを表装板上に弾性的に突出させるバネと、進退動部材の進退動幅を制限する手段とからなることを特徴とする。
また本発明は上記押しボタンスイッチユニットにおいて、進退動部材の進退動幅を制限する手段は、進退動部材の外周縁下部が筒状部の内底部に当接することと、進退動部材の軸部の下端に軸承部の下端開口から突出する爪状のストッパを形成したことであることを特徴とする。
また本発明は上記押しボタンスイッチユニットにおいて、押しボタンを透光性材料により成形するとともに、プリント基板に該押しボタンの裏面と相対する発光ダイオードを実装してなることを特徴とする。
【０００５】
【発明の実施の形態】
次に本発明の実施の形態を図面に基づき説明する。図１は本発明が適用されるパチンコ遊技機の正面図で、１は窓孔２に遊技盤３が配設されたガラス扉枠、４は該ガラス扉枠の下に設けられ前面に発射用のパチンコ球を供給する球受皿（上皿）５が形成された前面下部板、６は該前面下部板のさらに下部に設けられ前面に該球受皿５から溢れたパチンコ球が貯留される球受皿（下皿）７が設けられ右端部には打球発射操作ハンドル８が設けられた前面下部板である。なお、ガラス扉枠１の表面は火山の噴火口を想起させる凹凸状の意匠が施されている。
【０００６】
前面下部板６の球受皿７に隣接する部位には、図２〜図５に示したように、断面略Ｌ字状のケーシング１０が設けられ、該ケーシング中に本発明に係る押しボタンスイッチユニット１１が設けられる。ケーシング１０は後方に向けて水平に突設されたボス１２と前面下部板６に突設された小筒体部１３とを前面下部板６の裏側からビス１４をねじ込むことにより固定されている。また、ケーシング１０の底板部１５は後方に張り出していてその先端縁に形成された爪部１６を奥部壁に係合することにより底部を隙間無く被っている。なお、１７はケーシング１０の両側に突設された位置決ピン、１８は前面下部板６の背面に止着された金属製の剛性板である。
【０００７】
しかして、押しボタンスイッチユニット１１は、表装板２０の下面に円形の筒状部２１が一体に形成され、半円筒状の進退動部材２２を該筒状部２１中に進退動自在に支承し、該進退動部材２２の上端部に乳白色の透光性プラスチック材料によりドーム状に成形された押しボタン２３を冠着し、該筒状部２１の下端部中心に小径筒状の軸承部２４を一体に形成し、該軸承部の両側にさらに小径有底筒状のバネホルダ２５を一体に形成し、該バネホルダ内にコイル状のバネ２６を配置し、該バネ２６の弾性により該進退動部材２２を上向きに付勢して押しボタン２３を表装板２０上に弾性的に突出させるとともに、該進退動部材２２の下端部には前記軸承部２４中に摺動自在に垂下する横断面十字形の軸部２７を形成し該軸部２７の下端に軸承部２４の下端開口から突出する爪状のストッパ２８を形成している。このため、バネ２６の弾性により該進退動部材２２は上向きに付勢されているが、該ストッパ２８が軸承部２４の下端開口縁に当接することで上動が制限される。また、進退動部材２２の外周縁下部が筒状部２１の内底部２１ａに当接することで、該進退動部材２２の下動が制限される。このように進退動部材２２の外周縁下部が筒状部２１の内底部２１ａに当接することと、ストッパ２８を形成したことによって進退動部材の進退動幅が一定に制限されるようにしている。なお、２９は該進退動部材２２の内側中心部に一体に形成された起立板状の遮光板である。
【０００８】
また、３０は投光器と受光器とを向かい合わせに設けてなるコ字形の光センサ３１と、発光ダイオード３２と、コネクタ３３が実装されたプリント基板で、該プリント基板を表装板の裏側にビス３４により固着し、発光ダイオード３２が押しボタン２３の裏面と相対するように設定するとともに、進退動部材２２の進退動によって前記遮光板２９が該光センサ３１の光軸を過ぎるように設定する。なお、３５はコネクタ３３より導出された信号線である。
【０００９】
このため、押しボタン２３がバネ２６の弾性に抗して手で押し下げられると、遮光板２９が下がって光センサ３１の投光器の光が受光器に受光され、その押し下げ状態が検出されることから操作信号が信号線３５を介して遊技機本体に伝達され、それによって例えば図柄変動表示等の遊技の進行が変化するようにしている。また、遊技機本体から信号線３５を介して伝達される信号により発光ダイオード３２が点灯すると、透光性材料により成形された押しボタン２３が明るく光ることから、例えば遊技者に操作可能時期を表示し得るようになる。
【００１０】
このように本発明の押しボタンスイッチユニットは、裏面に筒状部２１および該筒状部の下端部に軸承部２４およびバネホルダ２５を一体に形成してなる表装板２０と、前記軸承部中にストッパ２８が摺動自在に垂下し遮光板２９が一体に形成され前記筒状部内に進退動自在に支承された進退動部材２２と、前記表装板上に出没自在なるように該進退動部材の上端部に冠着された押しボタン２３と、前記表装板の裏側に固着され投光器と受光器とからなる光センサ３１およびコネクタ３３が実装されたプリント基板３０と、前記バネホルダに収容され進退動部材２２を上向きに付勢することで前記押しボタン２３を表装板２０上に弾性的に突出させるバネ２６とからなり、進退動部材２２の進退動幅を制限する手段は、進退動部材２２の外周縁下部が筒状部２１の内底部２１ａに当接することと、進退動部材２２の軸部２７の下端に軸承部２４の下端開口から突出する爪状のストッパ２８を形成して構成したことから、少ない部品点数で頑強にでき、製作コストが軽減されるとともに、万一故障した場合にユニットごと簡単に交換することができメンテナンスも容易となり、耐久性および経済性が優れたものとなる。
【００１１】
また、上記押しボタン２３を透光性材料により成形し、上記プリント基板３０に該押しボタンの裏面と相対する発光ダイオード３２を実装することで、該押しボタン２３は遊技者に操作可能時期等を伝える表示手段ともなり得る。
【００１２】
【発明の効果】
以上説明したように本発明に係る押しボタンスイッチユニットは、表装板に形成された筒状部内に進退動部材を支承し、該進退動部材の上端部に押しボタンを冠着し、該表装板の裏側に投光器と受光器とからなる光センサおよびコネクタが実装されたプリント基板を固着し、前記筒状部の下端部に軸承部およびバネホルダを形成し、該バネホルダ内に設けたバネの弾性により該進退動部材を上向きに付勢して前記押しボタンを表装板上に弾性的に突出させるとともに、進退動によって前記光センサの光軸を過ぎる遮光板を該進退動部材に設け、該進退動部材の下端部には前記軸承部中に摺動自在に垂下する軸部を形成し、さらに、該進退動部材の進退動幅を制限する手段を設けてなるので、構成が簡略化され破損し難く頑強に構成でき、故障時に交換が簡単にできメンテナンスも容易となるとともに、容易にユニット化でき部品点数が少なくなるので製作コストが軽減され、パチンコ遊技機等の種々遊技機への設置が容易となるなど有益な効果がある。
【図面の簡単な説明】
【図１】本発明の実施形態を示したパチンコ遊技機の正面図。
【図２】図１のパチンコ遊技機の要部の斜視図。
【図３】図１のパチンコ遊技機の要部の縦断面図。
【図４】図３のＡ−Ａ線断面図。
【図５】図４のＢ−Ｂ線断面図。
【符号の説明】
１０　　ケーシング
１１　　押しボタンスイッチユニット
２０　　表装板
２１　　筒状部
２１ａ　内底部
２２　　進退動部材
２３　　押しボタン
２４　　軸承部
２５　　バネホルダ
２６　　バネ
２７　　軸部
２８　　ストッパ
２９　　遮光板
３０　　プリント基板
３１　　光センサ
３２　　発光ダイオード
３３　　コネクタ
３４　　ビス
【図１】
2004081603.tif 000003
【図２】
2004081603.tif 000004
【図３】
2004081603.tif 000005
【図４】
2004081603.tif 000006
【図５】
2004081603.tif 000007